(57)【要約】【課題】光ピックアップ装置の球面収差補正を目的とした、光学レンズ駆動装置を搭載したとしても、薄型・小型・ローコストで構成することができる光ピックアップ装置、及びその光学レンズ駆動装置を提供すること。【解決手段】光ピックアップ装置に内挿されて、レーザ光源と対物レンズを含む光学系の光路中で発生する収差を補正するための光学レンズ駆動装置において、光学レンズと、当該光学レンズを支持するレンズホルダと、当該レンズホルダと摺動自在に係合するレンズホルダ摺動軸と、モータで発生する回転駆動力を光学レンズの光軸方向に変換する伝達方向変換機構とを備え、この伝達方向変換機構は、モータの回転出力軸に連動して回転するプーリーと、当該プーリーに一端が固定され、他端が前記レンズホルダに固定されたワイヤとを有し、プーリーを回転させてワイヤを巻き取る、または巻き戻すことで、レンズホルダを光軸方向に移動させる構成とした。【選択図】図１
2009080865.tif 000002
【特許請求の範囲】
【請求項１】
レーザ光源と対物レンズを含む光学系の光路中で発生する収差を補正するための光学レンズ駆動装置において、
光学レンズと、
当該光学レンズを支持するレンズホルダと、
当該レンズホルダと摺動自在に係合するレンズホルダ摺動軸と、
モータで発生する回転駆動力を、前記光学レンズの光軸方向への駆動力に変換する伝達方向変換機構と、を備え、
前記伝達方向変換機構は、
前記モータの回転出力軸に連動して回転するプーリーと、
当該プーリーに一端が固定され、他端が前記レンズホルダに固定されたワイヤとを有し、
前記プーリーを回転させて前記ワイヤを巻き取る、または巻き戻すことで、前記レンズホルダを前記光軸方向に移動させる
ことを特徴とする光学レンズ駆動装置。
【請求項２】
前記レンズホルダを、前記光学レンズの光軸方向に押圧する押圧手段を更に有する
ことを特徴とする請求項１に記載の光学レンズ駆動装置。
【請求項３】
前記レーザ光源から出射された光ビームの光路を変えて、前記対物レンズに当該光ビームを導くための立ち上げミラーを更に有し、
前記立ち上げミラーに対して前記レーザ光源とは反対側に、前記モータを配した
ことを特徴とする請求項１または２に記載の光学レンズ駆動装置。
【請求項４】
請求項１から３のいずれか一項に記載の光学レンズ駆動装置を、前記光学系の光路中に配した
ことを特徴とする光ピックアップ装置。
【発明の詳細な説明】
【技術分野】
【０００１】
本発明は、光学レンズを光軸方向に摺動させる薄型で小型の光学レンズ駆動装置、及びその駆動装置を搭載した光ピックアップ装置に関するものである。
【背景技術】
【０００２】
従来から、ＤＶＤ等の光ディスクの再生又は記録を行う光ディスク装置に搭載される光ピックアップ装置は、光源から発振された光ビームを、光ディスクの記録層に照射して、情報の読み込み、または書き込みをするための装置として用いられる。この光ピックアップ装置は、種々の要因により発生する波面収差の影響を受けて性能が劣化することが問題となっている。この波面収差には、光ディスクのチルト角等に起因するコマ収差や、光ディスクのカバー層の厚み誤差や情報記録面の多層化に伴う球面収差、及び光学系に起因する非点収差などが存在する。これらの収差の中で特に前述の球面収差は、光ディスクの記録密度が高密度化するに伴って影響が大きくなり、この球面収差を補正する技術が、今後の光ディスクの高密度化を実現する重要な要素の一つになっている。この球面収差を補正する為、光学レンズを光軸方向に摺動させて球面収差を打ち消す手段を備えた光ピックアップ装置が開示されている（例えば特許文献１参照）。
【０００３】
以下、この特許文献１に記載の光学レンズ駆動装置について図面に基づいて説明する。図４（ａ）は、特許文献１で開示されている、従来の光学レンズ駆動装置の構成を示す、斜視図であり、図４（ｂ）は、従来の光学レンズ駆動装置の平面図である。
【０００４】
図４（ａ）図４（ｂ）において、１６０は特許文献１で開示されている従来の光学レンズ駆動装置である。１８は光学レンズであり、レンズホルダ１６３によって支持されている。１６１と１６２は２本のレンズホルダ摺動軸であり、光ピックアップ本体に直接的に固定配置され、レンズホルダ１６３と係合している。１６４は、フレーム１７０を介して光ピックアップ本体に固定配置された、駆動手段として機能するモータであり、１６７はモータ１６４からの出力軸に固定されたピニオンギヤである。１６８、１６９はピニオンギヤ１６７に歯合した減速ギヤであり、レンズホルダ１６３に固定された、２枚のラック１６６ａ、１６６ｂからなるラック１６６と歯合され、ギヤ機構１６５を構成している。ギヤ機構１６５で発生するバックラッシュは、与圧バネ１７１によって取り除かれる。モータからの出力は、ギヤ機構１６５を介し、レンズホルダ１６３とそれによって支持されている光学レンズ１８を、レンズホルダ摺動軸１６１、１６２に沿って移動させる。この例では、３つのギヤと一つのラックでギヤ機構１６５を構成する事で、モータ１６４からの出力の回転方向を９０度変え、モータ１６４からの出力の回転数を減じトルクを増し、モータ１６４からの出力を離れた場所にあるラックに伝達しているが、必要なトルクやモータ１６４と光学レンズ１８との配置に応じて、他の構成も可能である。
【０００５】
次に、従来の光学レンズ駆動装置１６０を搭載した光ピックアップ装置の構成例について図面に基づいて説明する。図５は従来の光ピックアップ装置の構成例を示すレイアウト図である。
【０００６】
図５に於いて、１００は光ピックアップ装置であり、７は光ピックアップ装置の主な部品を搭載する光学ベースである。この光学ベース７の上に、図４（ａ）（ｂ）で示した光学レンズ駆動装置１６０が搭載されている。４１ａ〜４１ｃは光ビームを発するレーザ光源であり、４３ａ、４３ｂは光ビームを屈折させるプリズムである。４４は光の偏光成分を分離するＰＢＳ(偏光ビームスプリッター)であり、５０は光ビームを反射する立ち上げミラーである。
【０００７】
レーザ光源４１ａ〜４１ｃを発した光ビームは、プリズム４３ａ、４３ｂ、ＰＢＳ４４、光学レンズ１８を通過し、立ち上げミラー５０で反射して、図示はしていないがディスク方向（紙面手前側の方向）へと導かれる。４８は光ビームを集光する集光レンズであり、４９は光の強弱を電気信号に変換する光検出器である。光ディスクで反射した光ビームは再び立ち上げミラー５０で反射した後、光学レンズ１８を通過し、ＰＢＳ４４で向きを変えた後、集光レンズ４８で集光され、光検知機４９へ入射する。
【０００８】
この光ピックアップ装置１００における立ち上げミラー５０の位置や、光ピックアップ装置１００の外形の大まかな寸法は、光ピックアップ装置１００の機械的な互換の都合等から、光ディスク装置の厚み規格毎にほぼ決められており、且つ光ビームという自由な取り回しが出来ない性質の物を扱う以上、図５で示した様に光学部品は殆どの部品を集中して配置する必要が有る。その為、図５の構成の様に、従来の光ピックアップ装置１６０では、立ち上げミラー５０からどちらか一方に、殆どの構成部品が集中して配置され、立ち上げミラー５０を挟んだ他方は空間に余裕が有る事が多かった。
【０００９】
この様に、従来の光学レンズ駆動装置１６０を搭載した光ピックアップ装置１００は、レーザ光源４１ａ〜４１ｃと、レーザ光源４１ａ〜４１ｃからの光ビームを光ディスクの方向へと反射する立ち上げミラー５０と、レーザ光源４１ａ〜４１ｃと立ち上げミラー５０の間に球面収差補正用の光学レンズ１８を配置し、この光学レンズ１８を光軸方向に摺動させる光学レンズ駆動装置１６０を備えて構成される。
【００１０】
この光ピックアップ装置１００は、光学レンズ駆動装置１６０における光学レンズ１８を光軸方向に移動させることで球面収差を打ち消し、高密度の光ディスクに対応できる様になる。特に、今後需要が急増すると予測されるＢｌｕ−ｒａｙディスク等の高密度光ディスク向け記録・再生用光ディスク装置を、ノート型パソコンなどの携帯性を重要視する電子機器に搭載する場合、前述したように高密度光ディスクの記録・再生では球面収差補正が必要であるので、図５に示した光学レンズ駆動装置１６０を搭載した小型の光ピックアップ装置１００が必要とされる場合が多い。
【００１１】
【特許文献１】特開２００２−３１２９７１号公報（第８頁、第３図）
【発明の開示】
【発明が解決しようとする課題】
【００１２】
図５に示した、従来の光ピックアップ装置１００における光学レンズ駆動装置１６０は、駆動手段としてのモータ１６４の出力を、離れた場所にある、レンズホルダ摺動軸１６１、１６２に沿って移動するレンズホルダ１６３と、それによって支持されている光学レンズ１８の位置にまで伝達し、モータ１６４からの出力の回転方向をレンズホルダ１６３の移動の方向に合わせ９０度変え、且つモータ１６４からの出力の回転数を減じ、必要なトルク得る為に、複数の歯車類を有するギヤ機構１６５を介して伝えていた。
【００１３】
その為、この光ピックアップ装置１００は、光学ベース７の一方の側に空間的な余裕が有ったとしても、光学レンズ１８、レンズホルダ１６３の直ぐ近傍で、且つ光ビームを邪魔しない箇所に、モータ１６４やギヤ機構１６５を配置する必要があり、この制約の為に光ピックアップ装置１００内での全体のレイアウトが制限され、結果として光ピックアップ装置の小型化には限界が有った。このような外形サイズの大きい光ピックアップ装置１００を、ノート型パソコンなどに搭載される光ディスク装置に組み込むと、光ピックアップ装置１００の大きさがノート型パソコン全体の外形サイズに影響し、ノート型パソコンの小型化に大きな障害となる。
【００１４】
よって、特許文献１の光学レンズ駆動装置１６０を組み込んだ光ピックアップ装置１００は、薄型化・小型化・ローコスト化の要求が強い光ピックアップ装置向けとして、その大きさに関しては未だ十分ではないことが明白である。特に、ノート型パソコンに搭載される光ディスク装置の大きさは、Ｂｌｕ−ｒａｙディスク等の高密度光ディスク向け光ディスク装置であっても、規格に沿った製品が求められる。ノート型パソコンに搭載される光ディスク装置に搭載される光ピックアップ装置は、小型化が不可欠であり、従来の光学レンズ駆動装置では対応することが非常に困難となっている。
【００１５】
そこで、本発明は上記課題を解決し、薄型で小型の光学レンズ駆動装置、およびその駆動装置を搭載した光ピックアップ装置を提供することを目的とする。
【課題を解決するための手段】
【００１６】
上記課題を解決するために、本発明の光学レンズ駆動装置、およびその駆動装置を搭載した光ピックアップ装置は、基本的に下記記載の構成を採用する。
【００１７】
本発明の光学レンズ駆動装置は、レーザ光源と対物レンズを含む光学系の光路中で発生する収差を補正するための光学レンズ駆動装置において、光学レンズと、当該光学レンズを支持するレンズホルダと、当該レンズホルダと摺動自在に係合するレンズホルダ摺動軸と、モータで発生する回転駆動力を光学レンズの光軸方向に変換する伝達方向変換機構とを備え、この伝達方向変換機構は、モータの回転出力軸に連動して回転するプーリーと、当該プーリーに一端が固定され、他端が前記レンズホルダに固定されたワイヤとを有し、プーリーを回転させてワイヤを巻き取る、または巻き戻すことで、レンズホルダを光軸方向に移動させることを特徴とするものである。
【００１８】
本発明の光学レンズ駆動装置の伝達方向変換機構を用いることにより、モータの回転駆動力を伝える伝達経路内で、モータで発生する回転駆動力の伝達機能を損なわずに、有る程度自由に引き回す事が可能であるワイヤを用い、モータやギヤ機構を光学ベース内に自由に配置する事が可能になる。これにより、モータやギヤ機構を光学ベースの空間に余裕の有る箇所へと移動する事ができ、光ピックアップ装置の外形を小型にする事が可能となる。
【００１９】
また、本発明の光学レンズ駆動装置は、当該レンズホルダを、当該光学レンズの光学方向に押圧する押圧手段を有することを特徴とするものである。
【００２０】
これにより、当該モータで発生する回転駆動力を、当該ギヤ機構で生じるバックラッシュに影響される事なく確実に当該レンズホルダに伝達する事が可能となる。
【００２１】
また、本発明の光学レンズ駆動装置は、上記レーザ光源から出射された光ビームの光路を変えて、対物レンズに当該光ビームを導くための立ち上げミラーを更に有し、この立ち上げミラーに対してレーザ光源とは反対側に、上記モータを配したことを特徴とするものである。
【００２２】
また、本発明の光ピックアップ装置は、当該光学レンズ駆動装置を、光学系の光路中に配した事を特徴とするものである。
【００２３】
これにより、光学レンズ駆動装置を組み込んだ、光ビームの収差を補正する小型の光ピックアップ装置とする事が出来るので、特に、Ｂｌｕ−ｒａｙディスク等の高密度光ディスクや多層記録光ディスクの再生／記録に好適となる。
【発明の効果】
【００２４】
上記の如く本発明によれば、従来の構成ではできなかった、光学レンズ駆動装置を駆動するモータやギヤ機構を、光学レンズやレンズホルダから離して光学ベース内に自由に配置する事が可能になる。これにより、モータやギヤ機構を光学ベースの空間に余裕の有る箇所へと移動する事ができ、光ピックアップ装置の外形を小型とする事が可能となる。
【発明を実施するための最良の形態】
【００２５】
以下、本発明の光学レンズ駆動装置を搭載した光ピックアップ装置、及びその光学レンズ駆動装置とにおける実施の形態を、図面に基づいて詳述する。図１は、本発明の光ピックアップ装置のレイアウトを示す平面図である。図２は、本発明の光学レンズ駆動装置を搭載し光学レンズが一つによって構成される光ピックアップ装置の構成例および作用を示すブロック図である。図３は、本発明の光ピックアップ装置の他の構成のレイアウトを示す平面図である。
【実施例１】
【００２６】
まず、本発明の光学レンズ駆動装置を搭載した光ピックアップ装置、及びその光学レンズ駆動装置の構成例を、図１に基づいて説明する。図１は、本発明の光ピックアップ装置の構成例を示す平面図である。
【００２７】
図１に示すように、本発明の光学レンズ駆動装置を搭載した光ピックアップ装置６０ａ及び、その光学レンズ駆動装置１ａの特徴は、光学レンズ３を所定の方向に摺動機構により移動させる為の、駆動手段であるステップモータ１０の回転駆動力を、光学レンズ３を所定の方向に摺動させる為の摺動機構に伝達する経路中に、従来用いられてきた、ピニオンギヤ３５、減速ギヤ３６からなるギヤ機構５に加え、プーリー３８とワイヤ３７を用いている点にある。この事に依り、ステップモータ１０や、ピニオンギヤ３５、減速ギヤ３６等からなるギヤ機構５や、プーリー３８やワイヤ３７からなる機構の、光学ベース７内での自由な配置を可能となる。
【００２８】
図１に於いて、６０ａは本発明の光ピックアップ装置であり、７は光ピックアップ装置の主な部品を搭載する光学ベースであり、１ａは光学レンズ駆動装置であり、光学ベース７に載置される。３は光学レンズであり、レンズホルダ４によって支持されている。３２ａと３２ｂは２本のレンズホルダ摺動軸であり、光ピックアップ本体に直接的に固定配置され、レンズホルダ４と摺動自在に係合しており、レンズホルダ４が、光軸４２に沿って光学レンズ３を移動できる様になっている。このレンズホルダ４とレンズホルダ摺動軸３２ａ、３２ｂとによって、上述した摺動機構を構成する。
【００２９】
１０は光学ベース７に固定配置された駆動手段として機能する、筒型形状のステップモータであり、３５はステップモータ１０からの出力軸に固定されたピニオンギヤである。３６はピニオンギヤ３５に歯合した減速ギヤであり、シャフト４０を介してプーリー３８と結合されており、一緒に回転する様になっている。このピニオンギヤ３５と減速ギヤ３６とによってギヤ機構５を構成する。３７は一端がプーリー３８に固定され、他端がレンズホルダ４に固定されたワイヤである。このプーリー３８が回転する事で、ワイヤ３７を巻き取れる様になっている。３３はピニオンギヤ３５、減速ギヤ３６からなるギヤ機構５で発生するバックラッシュを取り除く為の与圧バネであり、レンズホルダ摺動軸３２ｂに固定されたバネストッパ３４とレンズホルダ４との間に与圧を与えている。
【００３０】
なお、本図に示すレーザ光源４１ａ〜４１ｃから発する光ビーム（図中の矢印で示した経路を通る光）が、プリズム４３ａ、４３ｂ、ＰＢＳ４４を介して光学レンズ３、立ち上げミラー５０を経由し、集光レンズ４８を介して光検出器４９に戻る光ピックアップ装置６０ａの作用については、後段で説明する。
【００３１】
ステップモータ１０からの出力回転は、ピニオンギヤ３５を介し減速ギヤ３６へと伝達され、減速ギヤ３６と一体となって回転するプーリー３８がワイヤ３７を巻き取る事で、ワイヤ３７の一端が固定されたレンズホルダ４と、それによって支持されている光学レンズ３をレンズホルダ摺動軸３２ａ、３２ｂに沿って移動させる。このプーリー３８とワイヤ３７が、ピニオンギヤ３５で発生する回転出力を直線運動に変える伝達方向変換機構として機能する。この様にして、ステップモータ１０の回転出力軸に連動して回転するプーリー３８にワイヤ３７を巻き取ったり、その巻き取った方向とは反対方向にこのプーリー３８を回転させてワイヤ３７を巻き戻すことで、レンズホルダ４を光軸方向に移動させる。
【００３２】
この例での減速は一段であるが、必要な回転数やトルクに応じて、複数のギヤを組み合わせる事も可能である。また、ステップモータ１０におけるモータ出力軸に於ける回転数やトルクが十分である場合は、本図に示すギヤ機構５を用いず、ピニオンギヤ３５の代わりにプーリー３８を直接モータ出力軸に取り付ける事も可能である。
【００３３】
このように、本発明の光ピックアップ装置６０ａに搭載されている、プーリー３８とワイヤ３７を駆動力の伝達経路内に組み込んだ光学レンズ駆動装置１ａは、ステップモータ１０の回転駆動力を伝える伝達経路内に、駆動力の伝達機能を損なわずに、有る程度自由に引き回す事が可能であるワイヤ３７を用いている。この様に構成する事で、駆動手段としてのステップモータ１０や、駆動力の伝達経路としての減速ギヤ３６を含むギヤ機構５を、光学ベース７内に自由に配置する事が可能になる。
【００３４】
その為、従来の光学レンズ駆動装置を搭載した光ピックアップ装置の様に、ステップモータや減速ギヤの配置箇所が、光学レンズ、レンズホルダの直ぐ近傍で、且つ光ビームを邪魔しない箇所に配置しなくてはならないといった制約を受けることがなくなる。これによって、ステップモータ１０や減速ギヤ３６を、光学ベース７内の光学部品の配置されている側（図中のレンズホルダ摺動軸３２ｂの右側エリア）から、立ち上げミラー５０を挟んだ他方の空間（立ち上げミラー５０の図中上側空間）の空きスペースへと移動させる事ができ、光学ベース７の空間を有効に使う事が可能となる。そして、従来の光ピックアップ装置の構成例と比べて、矢印Ｂに示す幅の分だけ光ピックアップ装置６０ａの幅を狭める事ができ、光ピックアップ装置６０ａの外形を、小型とする事が可能となる。
【００３５】
次に、本発明の光ピックアップ装置６０ａに搭載されている光学レンズ駆動装置１ａの作用について図面に基づいて説明する。図２は、図１に示した本発明の光学レンズ駆動装置１ａを搭載し、光学レンズ３が一つによって構成される光ピックアップ装置の構成例及び作用を示すためのブロック構成図である。
【００３６】
図２に示す様に、レーザ光源４１ａから４０５ｎｍの光ビーム４２ａが発せられると、光ビーム４２ａは、２つのプリズム４３ａ、４３ｂとＰＢＳ４４を通過し、更に光学レンズ駆動装置１ａの光学レンズ３を通過する。
【００３７】
そして、光ビーム４２ａは、立ち上げミラー５０で反射して、λ／４位相差板４５と対物レンズ４６を通過し、対物レンズ４６によって集光されてＢｌｕ−ｒａｙディスク等の高密度光ディスク４７の情報記録面に照射される。光ディスク４７に照射された光ビーム４２ａは、光ディスク４７の情報記録面で反射して反射光４２ｄとなって、再び対物レンズ４６とλ／４位相差板４５を通過し、立ち上げミラー５０で反射する。立ち上げミラー５０で反射した反射光４２ｄは、再び光学レンズ駆動装置１ａの光学レンズ３を通過して、ＰＢＳ４４に入射する。
【００３８】
ＰＢＳ４４に入射した反射光４２ｄは、ＰＢＳ４４で光路が９０度変更されて、集光レ
ンズ４８によって集光されて光検出器４９に入射する。光検出器４９は、反射光４２ｄの強弱を電気信号に変換し、図示しないが光検出信号を外部のコントローラに送り、光ディスク４７に記録された情報を再生する。
【００３９】
また、光検出信号を入力する図示しないコントローラは、光ビーム４２ａとその反射光４２ｄの収差を補正するために、ステップモータ１０を制御して収差を補正し、最適な反射光４２ｄを得る。具体的には、光学レンズ駆動装置１ａは、コントローラから入力されるモータ駆動信号Ｍ１によってステップモータ１０を駆動し、光学レンズ３は、前述したレンズホルダ４とレンズホルダ摺動軸３２ａ、３２ｂの係合によって構成される摺動機構によって矢印Ａの方向に移動し、対物レンズ４６との位置関係を変化させることにより、光ディスク４７のカバー層の厚み誤差等による球面収差を補正する。特に、Ｂｌｕ−ｒａｙディスク等の高密度光ディスクの再生／記録では、この球面収差が性能に大きく影響するので、球面収差補正は重要である。
【００４０】
尚、ＣＤ等の光ディスクに対応するレーザ光源４１ｂとＤＶＤ等の光ディスクに対応するレーザ光源４１ｃがそれぞれ発する光ビーム４２ｂ、４２ｃは、それぞれの光路上にあるプリズム４３ａ、４３ｂで光路が９０度変更され、その後の光路は光ビーム４２ａと同じ光路を通り、作用は基本的に同じであるので、以降の説明は省略する。
【００４１】
以上のように本発明の光ピックアップ装置６０ａは、光学レンズ駆動装置１ａによって球面収差補正を行うことが出来るので、高精度な収差補正を必要とする高密度光ディスクの記録・再生に好適である。また、光学レンズ駆動装置１ａを搭載した、本発明の光ピックアップ装置６０ａは、極限近くまで薄型、小型に徹した光ピックアップ装置であるので、ノート型パソコンや携帯型ビデオ再生機などの携帯性が重要視される電子機器に搭載される薄型の記録・再生用光ディスク装置に極めて好適な光ピックアップ装置となる。
【実施例２】
【００４２】
次に、本発明の光学レンズ駆動装置を搭載した光ピックアップ装置、及びその光学レンズ駆動装置の他の構成例を図３に基づいて説明する。図３は、本発明の光ピックアップ装置の他の構成例を示すレイアウト図である。
【００４３】
図３に示すように、本発明の光ピックアップ装置６０ｂ、及び光学レンズ駆動装置１ｂの特徴は、実施例１で示した筒型形状のステップモータに代えて、回転駆動力を発生させるモータに平面型ステップモータ１１を採用し、実施例１と同様に、プーリー３８、３９とワイヤ３７を用いている点にある。この事に依り、実施例１と同様に、平面型ステップモータ１１や、減速ギア３６を有するギヤ機構５や、プーリー３８、３９や、ワイヤ３７の光学ベース７内で自由な配置を可能とする。
【００４４】
図３に於いて、６０ｂは本発明の光ピックアップ装置であり、７は光ピックアップ装置の主な部品を搭載する光学ベースであり、この光学ベース７上に光学レンズ駆動装置１ｂが載置される。３は光学レンズであり、レンズホルダ４によって支持されている。３２ａと３２ｂは２本のレンズホルダ摺動軸であり、光ピックアップ本体に直接的に固定配置され、レンズホルダ４と摺動自在に係合しており、レンズホルダ４が、光軸４２に沿って光学レンズ３を移動させることができる様になっている。このレンズホルダ４とレンズホルダ摺動軸３３２ａ、３２ｂとによって、上述した摺動機構を構成する。
【００４５】
１１は光学ベース７に固定配置された駆動手段としての平面型ステップモータである。この平面型ステップモータ１１は、図示しない、永久磁石からなるロータと、このロータが入るロータ穴を有するステータと、ステータに固定されたコイルと、ロータからの出力を減速し出力軸へ伝達する輪列とを平面状に配置した形態となっている。３５は平面型ス
テップモータ１１からの出力軸に固定されたピニオンギヤである。３６はピニオンギヤ３５に歯合した減速ギヤであり、プーリー３８と結合されており、一緒に回転する様になっている。このピニオンギヤ３５と減速ギヤ３６とによってギヤ機構５を構成する。
【００４６】
３７は一端がプーリー３８に固定され、他端がレンズホルダ４に固定されたワイヤである。プーリー３８が回転する事で、ワイヤ３７を巻き取れる様になっている。３９はワイヤの方向をスムーズに変える為のプーリーである。３３はピニオンギヤ３５、減速ギヤ３６、及び平面型ステップモータ１１内の輪列で発生するバックラッシュを取り除く為の与圧バネであり、レンズホルダ摺動軸３２ｂに固定されたバネストッパ３４とレンズホルダ４との間に与圧を与えている。
【００４７】
平面型ステップモータ１１からの出力回転は、ピニオンギヤ３５を介し減速ギヤ３６へと伝達され、減速ギヤ３６と一体となって回転するプーリー３８がプーリー３９を経由してワイヤ３７を巻き取る事で、ワイヤ３７の一端が固定されたレンズホルダ４と、それによって支持されている光学レンズ３をレンズホルダ摺動軸３２ａ、３２ｂに沿って移動させる。このプーリー３８とワイヤ３７が、平面型ステップモータ１１におけるピニオンギヤ３５で発生する回転出力を直線運動に変える伝達方向変換機構として機能する。この様にして、平面型ステップモータ１１の回転出力軸に連動して回転するプーリー３８にワイヤ３７を巻き取ったり、その巻き取った方向とは反対方向にこのプーリー３８を回転させてワイヤ３７を巻き戻すことで、レンズホルダ４を光軸方向に移動させる。
【００４８】
この例での減速は一段であるが、必要な回転数やトルクに応じて、複数のギヤを組み合わせる事も可能である。また、平面型ステップモータ１１のモータ出力軸に於ける回転数やトルクが十分である場合、ギヤ機構を用いず、ピニオンギヤ３５の代わりにプーリー３８を直接モータ出力軸に取り付ける事も可能である。
【００４９】
このように、本発明の光ピックアップ装置６０ｂに搭載されている、平面型ステップモータ１１とプーリー３８、３９とワイヤ３７を駆動力の伝達経路内に組み込んだ光学レンズ駆動装置１ｂは、平面型ステップモータ１１の回転駆動力を伝える伝達経路内に、駆動力の伝達機能を損なわずに有る程度自由に引き回す事が可能であるワイヤ３７を用いる事で、駆動手段としての平面型ステップモータ１１や駆動力の伝達経路としての減速ギヤ３６を光学ベース７内に自由に配置する事が可能になる。
【００５０】
その為、従来の光学レンズ駆動装置１ｂを搭載した光ピックアップ装置６０ｂの様に、平面型ステップモータ１１や減速ギヤ３６の配置箇所が、光学レンズ３、レンズホルダ４の直ぐ近傍で且つ光ビームを邪魔しない箇所に配置できないといった制約を受けず、平面型ステップモータ１１や減速ギヤ３６を、光学ベース７内の光学部品の配置されている側から、立ち上げミラー５０を挟んだ他方の空間に余裕が有る箇所へと移動する事ができる。この様にして、光学ベース７の空間を有効に使う事が可能となり、光ピックアップ装置６０ｂの外形を小型化する事が可能となる。
【００５１】
例えば、図３に示す本発明の光ピックアップ装置６０ｂでは、平面型ステップモータ１１や減速ギヤ３６を、光学ベース７内の光学部品の配置されている側から、立ち上げミラー５０を挟んだ他方の空間に余裕が有る箇所へと移動する事で、従来の光ピックアップ装置の構成例と比べて、矢印Ｂに示す幅の分だけ光ピックアップ装置６０ｂの幅を狭める事が出来、それにより、小型の光ピックアップ装置６０ｂ、及びその光学レンズ駆動装置１ｂを提供することが可能となる。更に、厚みの無い平面型ステップモータ１１を用い、減速ギヤ３６やプーリー３８、３９を平面上状に配置している為、光学レンズ駆動装置１ｂの厚みも押さえられ、光ピックアップ装置６０ｂを薄型にする事が可能となる。
【００５２】
この本発明の光ピックアップ装置６０ｂに搭載されている光学レンズ駆動装置１ｂの作用については、実施例１で示した光ピックアップ装置とその装置に搭載されている光学レンズ駆動装置の作用と基本的に同じであるので、ここでの説明は省略する。
【００５３】
以上のように本発明の光ピックアップ装置６０ｂは、光学レンズ駆動装置１ｂによって球面収差補正を行うことが出来るので、高精度な収差補正を必要とする高密度光ディスクの記録・再生に好適である。また、光学レンズ駆動装置１ｂを搭載した、本発明の光ピックアップ装置６０ｂは、先に示した実施例１と同様に、極限近くまで薄型で小型に徹した光ピックアップ装置であるので、ノート型パソコンや携帯型ビデオ再生機などの携帯性が重要視される電子機器に搭載される薄型の記録・再生用光ディスク装置に極めて好適な光ピックアップ装置となる。
【００５４】
また、このデスクトップ型パソコンに搭載される光ディスク装置に於いて、光ピックアップ装置の外形が大きいと、その分、光ディスク装置に搭載されているスピンドルモータや電子基板等の他の部品を小型化する必要が生じ、小型な代わりに高コストとなる部品を採用する事となるが、本発明の構成を採用することで、光学ベース７自体のサイズが小さくなり、光ディスク装置を低コストで構成することができる。
【図面の簡単な説明】
【００５５】
【図１】本発明の光ピックアップ装置の構成例を示す図面である。
【図２】本発明の光ピックアップ装置の構成例および作用を示すブロック図である。
【図３】本発明の光ピックアップ装置の他の構成例を示す図面である。
【図４（ａ）】従来の光学レンズ駆動装置の構成を示す図面である。
【図４（ｂ）】従来の光学レンズ駆動装置の構成を示す図面である。
【図５】従来の光ピックアップ装置の構成を示す図面である。
【符号の説明】
【００５６】
１、１６０  光学レンズ駆動装置
３、１８  光学レンズ
４、１６３  レンズホルダ
５、１６５  ギヤ機構
７  光学ベース
１０、１６４  ステップモータ
１１  平面型ステップモータ
３２ａ、３２ｂ、１６１、１６２  レンズホルダ摺動軸
３３  与圧バネ
３４  バネストッパ
３５、１６７  ピニオンギヤ
３６、１６９  減速ギヤ
３７  ワイヤ
３８、３９  プーリー
４０  シャフト
４１ａ、４１ｂ、４１ｃ  レーザ光源
４２ａ、４２ｂ、４２ｃ  光ビーム
４２ｄ  反射光
４３ａ、４３ｂ  プリズム
４４  偏向ビームスプリッター（ＰＢＳ）
４５  λ／４位相差板
４６  対物レンズ
４７  光ディスク
４８  集光レンズ
４９  光検出器
５０  立ち上げミラー
６０  光ピックアップ装置
１７０  フレーム
【図１】
2009080865.tif 000003
【図２】
2009080865.tif 000004
【図３】
2009080865.tif 000005
【図４（ａ）】
2009080865.tif 000006
【図４（ｂ）】
2009080865.tif 000007
【図５】
2009080865.tif 000008